(57)【要約】【課題】表示装置の文字盤の照明方法に工夫を凝らし、見映えのある斬新な視認性を有する表示装置を提供することを目的とする。【解決手段】平面視環状の導光体を備える導光ユニットを複数個、すなわち２個の導光ユニット３、４を、文字盤２の裏側に互いに同軸上且つシャフト６１と同軸上に、且つ各導光ユニット３、４が線接触するように配置すると共に、制御装置１１により発光ダイオード３２、４２を所定の規則により時差点灯あるいは時差消灯させる構成とした。これにより、各導光体３１、４１間の光の洩れをほぼなくしつつ、文字盤２の目盛２１、数字２２の点灯時、および消灯時に時間的な動きを与えることができるので、見映えのある斬新な視認性を有するコンビネーションメータ１を提供できる。【選択図】        図１
2004184221.tif 000002
【特許請求の範囲】
【請求項１】
文字盤と、
平面視環状あるいは平面視円弧状に透光性材料から形成される導光体と該導光体の入射面に光を入射可能に配置される光源とを備え、前記導光体から光を出射させて前記文字盤を透過照明する導光ユニットと、
前記文字盤の裏面側に配置され前記文字盤の表面側に回動可能に指針軸を延出してなる回動内機と、
前記指針軸の先端に固定されて前記文字盤の表面に沿って回動する指針とを備え、
複数個の前記導光ユニットが互いに同軸上且つ前記指針軸と同軸上且つ隣接する前記各導光ユニットが線接触するように前記文字盤の裏側に配置され、
前記各導光ユニットの前記光源を所定の規則に従い時差点灯あるいは時差消灯させることを特徴とする表示装置。
【請求項２】
文字盤と、
平面視環状あるいは平面視円弧状に透光性材料から形成される導光体と該導光体の入射面に光を入射可能に配置される光源とを備え、前記導光体から光を出射させて前記文字盤を透過照明する導光ユニットと、
前記文字盤の裏面側に配置され前記文字盤の表面側に回動可能に指針軸を延出してなる回動内機と、
前記指針軸の先端に固定されて前記文字盤の表面に沿って回動する指針とを備え、
複数個の前記導光ユニットが互いに同軸上且つ前記指針軸と同軸上且つ隣接する前記各導光ユニットが線接触するように前記文字盤の裏側に配置され、
前記各導光ユニットの発光色は複数種類であることを特徴とする表示装置。
【請求項３】
前記各導光ユニットの前記光源を所定の規則に従い時差点灯あるいは時差消灯させることを特徴とする請求項２に記載の表示装置。
【請求項４】
少なくとも１つの前記導光ユニットにおいて、前記光源の発光色が他の前記導光ユニットにおける前記光源の発光色とは異なる、または前記導光体が他の前記導光ユニットの前記導光体とは異なる色に着色されることを特徴とする請求項２または請求項３に記載の表示装置。
【請求項５】
前記文字盤は、前記指針軸と同軸上に配置される目盛と、この目盛と同軸上に配置される数字とを備え、
前記目盛および前記数字はそれぞれ別の導光ユニットにより照明されることを特徴とする請求項１ないし請求項４のいずれかに記載の表示装置。
【請求項６】
前記目盛に対応する導光ユニットの発光色は、前記数字に対応する導光ユニットの発光色とは異なることを特徴とする請求項５に記載の表示装置。
【発明の詳細な説明】
【０００１】
【発明の属する技術分野】
本発明は表示装置に関するものであり、車両等に用いて好適である。
【０００２】
【従来の技術】
従来から、たとえば自動車に装備される表示装置において、見映えのある斬新な視認性を確保するために様々な方法が提案されている。
【０００３】
一例として、文字盤の裏面側に複数の光源を放射状に配列すると共に、これらの光源を一定の規則に従って順次遅延点灯制御する制御手段を備えたものがある。これは、文字盤の表面の明るさを点灯される光源の位置に応じて変化させて、文字盤の斬新な見映えを目指したものである。（たとえば、特許文献１参照）。
【０００４】
また、他の例として、文字盤と、この文字盤の裏面側に配置され文字盤の表面側に指針軸を延出する回動内機と、文字盤に指針軸と同軸上に形成される目盛と、目盛に略沿うような平面視環状あるいは平面視円弧状に形成され且つ文字盤の裏側に指針軸と同軸上に配置される透光性材料からなる導光体と、導光体の入射面に光を入射可能に配置される光源と、導光体の大径側側面に形成されて光源からの光を反射させる光伝播用反射面と、導光体内を進行する光を文字盤に向けて拡散反射させる光拡散手段（たとえば、シボ面、あるいは白色塗装面等）とを備える構造のものがある（たとえば、特許文献２参照）。
【０００５】
これは、光源から導光体に入射した光を光伝播用反射面で反射を繰り返しながら導光体内部を進行させ、光拡散手段で乱反射させて導光体表面を発光させ、これにより文字盤を透過照明するものである。
【０００６】
【特許文献１】
特開２０００−３３７９３０号公報
【０００７】
【特許文献２】
特開２０００−２０７４０８号公報
【０００８】
【発明が解決しようとする課題】
しかしながら、特開２０００−３３７９３０号公報に開示される表示装置においては、光源であるＬＥＤが多数必要であり、したがって、ＬＥＤの点灯駆動回路の電流も大きくなり、コストが増大する可能性がある。
【０００９】
また、特開２０００−２０７４０８号公報に開示される表示装置においては、光源、たとえばＬＥＤの個数を少なくできるものの発光部となる導光体は１個である。したがって、文字盤の照度を部分的に変える、あるいは文字盤を部分的に順次遅延点灯制御するといった演出表示は困難である。
【００１０】
そこで、本発明は、このようなことに対処するため、表示装置の文字盤の照明方法に工夫を凝らし、見映えのある斬新な視認性を有する表示装置を提供することを目的とする。
【００１１】
【課題を解決するための手段】
本発明は上記目的を達成する為、以下の技術的手段を採用する。
【００１２】
本発明の請求項１に記載の表示装置は、文字盤と、平面視環状あるいは平面視円弧状に透光性材料から形成される導光体と導光体の入射面に光を入射可能に配置される光源とを備え、導光体から光を出射させて文字盤を透過照明する導光ユニットと、文字盤の裏面側に配置され文字盤の表面側に回動可能に指針軸を延出してなる回動内機と、指針軸の先端に固定されて文字盤の表面に沿って回動する指針とを備え、複数個の導光ユニットが互いに同軸上且つ指針軸と同軸上且つ隣接する各導光ユニットが線接触するように文字盤の裏側に配置され、各導光ユニットの光源を所定の規則に従い時差点灯あるいは時差消灯させる構成としている。これにより、文字盤が、指針軸を中心として互いに同軸上に配置される複数の導光体ユニットにより照明されると共に、各導光ユニットの光源を所定の規則に従って順次遅延点灯あるいは順次遅延消灯させることにより文字盤表面の明るさが各導光ユニットの位置に応じて変化する。その結果、見映えのある斬新な視認性を有する表示装置を提供できる。
【００１３】
ところで、隣接する各導光ユニットの境界線に対応する文字盤表面の明るさが暗くなって見映えが低下しないように、隣接する各導光ユニットの各導光体は互いに密着していることが望ましい。しかしながら、複数の導光ユニットを所定の規則に従って順次遅延点灯あるいは順次遅延消灯させる場合、隣接する各導光ユニットの各導光体が面接触していると、点灯している導光体から消灯している導光体に光が接触面を通して洩れ、消灯している導光体に対応する文字盤の部位まで発光してしまい、表示装置の見映えが低下する可能性がある。そこで、隣接する各導光体を互いに線接触するように配置すれば、各導光体間の光の洩れをほぼなくすことができるので、見映えのある斬新な視認性を有する表示装置を提供できる。
【００１４】
本発明の請求項２に記載の表示装置は、文字盤と、平面視環状あるいは平面視円弧状に透光性材料から形成される導光体と導光体の入射面に光を入射可能に配置される光源とを備え、導光体から光を出射させて文字盤を透過照明する導光ユニットと、文字盤の裏面側に配置され文字盤の表面側に回動可能に指針軸を延出してなる回動内機と、指針軸の先端に固定されて文字盤の表面に沿って回動する指針とを備え、複数個の導光ユニットが互いに同軸上且つ指針軸と同軸上且つ隣接する各導光ユニットが線接触するように文字盤の裏側に配置され、各導光ユニットの発光色は複数種類である構成としている。これにより、文字盤が、指針軸を中心として互いに同軸上に配置される複数の導光ユニットにより照明されると共に、文字盤が各導光ユニットに対応する部位毎に異なる色で発光表示されるので、見映えのある斬新な視認性を有する表示装置を提供できる。この場合、請求項３に記載の発明のように、各導光ユニットの光源を所定の規則に従い時差点灯あるいは時差消灯させる構成とすれば、文字盤の発光色を各導光体に対応する部位毎に変えることに加えて、文字盤表面の明るさを各導光ユニットの位置に応じて変化させることができるので、見映えのある斬新な視認性を有する表示装置を提供できる。ここで、請求項４に記載の発明のように、少なくとも１つの導光ユニットにおいて、光源の発光色が他の導光ユニットにおける光源の発光色とは異なる、または導光体が他の導光ユニットの導光体とは異なる色に着色される構成とすることにより、各導光ユニットの発光色を容易に複数種類設定することができる。
【００１５】
本発明の請求項５に記載の表示装置は、文字盤は、指針軸と同軸上に配置される目盛および目盛と同軸上に配置される数字とを備え、目盛および数字はそれぞれ別の導光ユニットにより照明される構成としている。これにより、目盛および数字をそれぞれ単独で発光表示あるいは消灯が可能となり、すなわち目盛と数字を順次遅延点灯あるいは順次遅延消灯する、あるいは目盛と数字の発光照度に差を付ける等の演出表示が可能となるので、斬新な高級感を有する見映えを実現することができる。この場合、請求項６に記載の発明のように、目盛に対応する導光ユニットの発光色は、数字に対応する導光ユニットの発光色とは異なる構成とすれば、さらに斬新な高級感を有する見映えを実現することができる。
【００１６】
【発明の実施の形態】
以下、本発明による表示装置を自動車用コンビネーションメータに適用した場合を例に図面に基づいて説明する。
【００１７】
図１は、本発明の一実施形態によるコンビネーションメータ１の部分平面図である。
【００１８】
図２は、本発明の一実施形態によるコンビネーションメータ１の断面図であり、図１のＩＩ−ＩＩ線断面図である。
【００１９】
図３は、本発明の一実施形態によるコンビネーションメータ１の導光ユニット３、４の平面図である。
【００２０】
コンビネーションメータ１は、自動車の運転席前方の運転者から視認可能な位置に配設されており、各種情報を表示して運転者に視認させるための文字盤２を備えている。
【００２１】
文字盤２は、透光性材質、たとえば透明なポリカーボネート等の薄板から形成されている。文字盤２の略中央部には、図２に示すように、後述するムーブメント６のシャフト６１を文字盤２の表面側、すなわち運転者側に延出させるための貫通孔２３が設けられている。また、文字盤２には、図１に示すように、目盛２１および数字２２が設けられている。これらの目盛２１および数字２２は、文字盤２の表面（図２において左側の面）あるいは裏面（図２において右側の面）に印刷あるいはホットスタンプ等を施すことにより形成されている。すなわち、目盛２１および数字２２以外の部分に不透光性あるいは半透光性を有する着色層を設けると共に、目盛２１および数字２２には着色層を設けない、つまり透明なまま残してある。これにより、文字盤２の裏面側に配置される導光ユニット３、４からの光を文字盤２に照射すると、目盛２１および数字２２はこの光に透過照明されて発光表示される。また、目盛２１および数字２２は、貫通孔２３と同軸上、つまり指針軸６１と同軸上の円弧に沿って略放射状に配置されている。また、文字盤２の表面側には、環状の見返し板９を介し透明カバー１０が装着されている。透明カバー１０は、たとえば透明なポリカーボネート樹脂等からなり、文字盤２表面を清浄に維持すると共に、コンビネーションメータ１内の気密を維持している。一方、文字盤２の裏側には、導光ユニット３、４が配置されている。
【００２２】
各導光ユニット３、４は、それぞれが透光性材料からなる導光体３１、４１と、各導光体３１、４１の入射面３１ａ、４１ａに光を入射可能に配置される光源である発光ダイオード３２、４２とから構成されている。導光体３１、４１は、無色透明なアクリル樹脂あるいはポリカーボネート樹脂からなり、図１および図３に示すように、平面視環状に形成されている。各導光体３１、４１は、図２に示すように、断面形状が三角形状に形成されている。また、各導光体３１、４１それぞれの両端部には、導光体３１、４１内へ光を導入する入射面３１ａ、４１ａが設けられ、各入射面３１、４１には、発光ダイオード３２、４２が各入射面３１、４１に光を入射可能に密着固定されている。また、各導光体３１、４１それぞれの裏面には、発光ダイオード３２、４２からの光を拡散反射させて文字盤２に向けて出射させるために、図２に示すように、シボ面３１ｂ、４１ｂが設けられている。このシボ面３１ｂ、４１ｂは、導光体３、４を樹脂で型成形する際に、型により一体的に形成される。また、発光ダイオード３２として白色発光ダイオードが、発光ダイオード４２として黄色発光ダイオードがそれぞれ用いられている。したがって、各発光ダイオード３２、４２を点灯させると、導光ユニット３は白色に、導光ユニット４は黄色に発光する。
【００２３】
各導光ユニット３、４は、文字盤２の裏面に、図１および図２に示すように、互いに同軸上に、つまり導光体３１の内周と導光体４１の外周とを線接触させて、且つシャフト６１と同軸上に設置されている。ここで、導光ユニット３は文字盤２の目盛２１に対応し、導光ユニット４は目盛盤２の文字２２に対応するように配置されている。これにより、目盛２１は、導光ユニット３からの白色光により白色で発光表示され、一方、文字２２は、導光ユニット４からの黄色光により黄色で発光表示される。
【００２４】
また、文字盤２の裏面側にはプリント基板５が配置されている。プリント基板５は、コンビネーションメータ１の電気回路部を形成するものである。このプリント基板５には、外部からの電気信号に対応した角度だけ指針軸であるシャフト６１を回動させる回動内機であるムーブメント６が実装固定されている。シャフト６１は、文字盤２の貫通孔２３を通して表側（図１の左側）へ延出し、その先端には指針７が固定されている。この指針７は、透明あるいは半透明の材料、たとえばアクリル樹脂等から形成され、指針７外部の光源（図示せず）からの光を導光することにより指針７自体が発光可能である。また、プリント基板５には、各導光ユニット３、４の発光ダイオード３２、４２が電気的に接続されている。さらに、プリント基板５には、発光ダイオード３２、４２の点灯・消灯を制御する制御装置１１が実装されている。この制御装置１１は、たとえば、ハイブリッドＩＣ等により形成されている。
【００２５】
次に、以上説明した本発明の一実施形態によるコンビネーションメータ１の電気回路構成について説明する。
【００２６】
図４は、本発明の一実施形態によるコンビネーションメータ１の電気回路構成を説明する模式図である。
【００２７】
制御装置１１は、図４に示すように、イグニッションスイッチ１２を介してバッテリ１３に接続されて電力が供給されている。そして、運転者によりイグニッションスイッチ１２が操作されると、それに応じて発光ダイオード３２、４２を所定の規則にしたがって点灯、あるいは消灯させる。
【００２８】
次に、このように構成した本発明の一実施形態のコンビネーションメータ１作動について、特に文字盤２の視認状態を中心に説明する。
【００２９】
図５は、イグニッションスイッチ１２がＯＮされた時における制御装置１１による発光ダイオード３２、４２への印加電圧Ｅと時間Ｔとの関係を示すグラフである。
【００３０】
図６は、イグニッションスイッチ１２がＯＦＦされた時における制御装置１１による発光ダイオード３２、４２への印加電圧Ｅと時間Ｔとの関係を示すグラフである。
【００３１】
図５、６において（ａ）、（ｂ）は、それぞれ発光ダイオード３２、４２の場合を示している。また、縦軸は印加電圧Ｅを、横軸は時間Ｔを示す。
【００３２】
（１）イグニッションスイッチ１２がＯＮされた場合。
【００３３】
運転者によりイグニッションスイッチ１２がＯＮされ制御装置１１がイグニッションスイッチ１２がＯＮされたことを検知すると、制御装置１１が各発光ダイオード３２、４２の点灯制御を開始し、各発光ダイオード３２、４２へは、図５（ａ）、（ｂ）に示すように電圧が印加される。
【００３４】
先ず、発光ダイオード３２が点灯し、時間ｔが経過した後発光ダイオード４２が点灯する。これを、運転者側から文字盤２を見ると、先ず、目盛２１だけが白色で発光表示され、その後さらに数字２２が黄色で発光表示される。すなわち、目盛２１と数字２２が同時に発光表示されるのではなく、目盛２１→数字２２と時差点灯させることにより、あたかも自動車がゆっくり目を覚ますかのように視認される。その結果、見映えのある斬新な視認性を実現することができる。
【００３５】
（２）イグニッションスイッチ１２がＯＦＦされた場合。
【００３６】
運転者によりイグニッションスイッチ１２がＯＦＦされ制御装置１１がイグニッションスイッチ１２がＯＦＦされたことを検知すると、制御装置１１が各発光ダイオード３２、４２の点灯制御を開始し、各発光ダイオード３２、４２へは、図６（ａ）、（ｂ）に示すように電圧が印加される。
【００３７】
先ず、発光ダイオード４２が消灯し、時間ｔが経過した後発光ダイオード３２が消灯する。これを、運転者側から文字盤２を見ると、先ず、数字２２だけが消灯され、その後さらに目盛２１が消灯される。すなわち、目盛２１と数字２２が同時に消灯されるのではなく、数字２２→目盛２１と時差消灯させることにより、あたかも自動車がゆっくり眠りに落ちるかのように視認される。その結果、見映えのある斬新な視認性を実現することができる。
【００３８】
以上説明した、本発明の一実施形態によるコンビネーションメータ１においては、平面視環状の導光体を備える導光ユニットを複数個、すなわち２個の導光ユニット３、４を、文字盤２の裏側に互いに同軸上且つシャフト６１と同軸上に、且つ各導光ユニット３、４が線接触するように配置すると共に、制御装置１１により発光ダイオード３２、４２を所定の規則により時差点灯あるいは時差消灯させる構成とした。各導光ユニット３、４を線接触するように配置することで、各導光体３１、４１間の光の洩れをほぼなくすことができる。したがって、導光ユニット３、４を所定の規則に従って時差点灯あるいは時差消灯させる場合、点灯している導光体から消灯している導光体に光が接触面を通して洩れ、消灯している導光体までが発光してコンビネーションメータ１の見映えが低下すること防止できる。また、各導光ユニット３、４の発光ダイオード３２、４２を所定の規則に従って時差点灯あるいは時差消灯させることにより文字盤２の目盛２１、数字２２の点灯時、および消灯時に時間的な動きを与えることができるので、見映えのある斬新な視認性を有するコンビネーションメータ１を提供できる。
【００３９】
また、以上説明した、本発明の一実施形態によるコンビネーションメータ１においては、各導光ユニット３、４を、文字盤２上の目盛２１および数字２２にそれぞれ対応させて配置すると共に、各導光ユニット３、４の発光色を複数種類とする、つまり各導光ユニット３、４の発光色を互いに異なる色としている。これにより、文字盤２上の目盛２１および数字２２の発光色を互いに異なるようにして、見映えのある斬新な視認性を有するコンビネーションメータ１を提供することができる。
【００４０】
以上説明した、本発明の一実施形態によるコンビネーションメータ１においては、各導光体３１、４１の断面形状を、図２に示すように、三角形状としているが、三角形に限る必要はなく他の形状、たとえば半円形、円形、長方形等であってもよいであってもよい。図７（ａ）〜（ｄ）には、導光体３１、４１の変形例の断面形状を示す。いずれの場合においても、導光体３１、４１を線接触させており、各導光体３１、４１間相互の光の洩れをほぼなくすことができる。
【００４１】
また、以上説明した、本発明の一実施形態によるコンビネーションメータ１においては、導光ユニット３、４の光源として発光ダイオード３２、４２を用いているが、他の光源、たとえば電球、放電管、電界発光ディスプレイ等であってもよい。
【００４２】
また、以上説明した、本発明の一実施形態によるコンビネーションメータ１においては、導光体３１、４１を無色透明の樹脂にて形成し且つ発光ダイオード３２の発光色と発光ダイオード４２の発光色とを異なる色としているが、導光ユニット３、４の少なくとも１個を、透光性を維持しつつ所望の色に着色された導光体と光源である白色発光ダイオードとを備えるものに置換えてもよい。この導光ユニットの発光色は着色された導光体と同色となる。これによっても、目盛２１の発光色と数字２２との発光色とを異なるものにできる。
【００４３】
また、本発明の一実施形態によるコンビネーションメータ１においては、導光体３１、４１から文字盤２に向けて光を照射するために、導光体３１、４１の裏面にシボ面３１ｂ、４１ｂを設けているが、シボ面３１ｂ、４１ｂを設ける替わりに白色塗装を施してもよい。あるいは、導光体３１、４１内に光を拡散反射させる微粒子、たとえば金属粉末等を均一に分散させてもよい。これは、導光体３１、４１を樹脂成形する際に、予め上述の微粒子を樹脂材料中に混入させることで容易に実現できる。
【００４４】
また、本発明の一実施形態によるコンビネーションメータ１においては、発光ダイオード３２、４２を導光体３１、４１の入射面３１ａ、４１ａに密着させて配置しているが、必ずしも密着させずに、幾らかの隙間を空けて配置してもよい。
【００４５】
また、本発明の一実施形態によるコンビネーションメータ１においては、導光ユニットの個数を２個としているが、３個以上であってもよい。
【００４６】
図８に、本発明の一実施形態によるコンビネーションメータ１の変形例における導光ユニット３、４の平面図を示す。また、図９に、図８中のＩＸ−ＩＸ線断面図を示す。
【００４７】
本発明の一実施形態によるコンビネーションメータ１においては、各導光ユニット３、４は複数個の独立した部品として形成されており、したがって、導光体３１、４１も、それぞれ単独の部品である。図８、図９に示す変形例においては、導光体３１、４１を、図８、図９に示すように、連結部Ａを介して部分的に連結している。連結部Ａは、導光体３１、４１と一体的に形成される、つまり樹脂により一体成形される構成としてもよいし、あるいは別の部品として導光体３１、４１を連結してもよい。これにより、各導光ユニット３、４を一実施形態の場合と同様に独立して機能させると共に、各導光ユニット３、４を１個の部品として取り扱えるのでコンビネーションメータ１の組み付け工数を低減することができる。この場合、連結部Ａの大きさは導光体３１、４１に比べて非常に小さいので、連結部Ａを経由しての各導光体３１、４１間相互の光の洩れ量はわずかであり、コンビネーションメータ１の見映えにほとんど影響しない。
【００４８】
また、制御装置１１による発光ダイオード３２、４２の時差点灯制御方法、時差消灯制御方法は、図５、図６に示す制御方法に限る必要はなく、他の制御方法であってもよい。
【００４９】
図１０（ａ）、（ｂ）、図１１（ａ）、（ｂ）には、それぞれ制御装置１１による発光ダイオード３２、４２の時差点灯制御方法、時差消灯制御方法の変形例を示す。この変形例による文字盤２の照明作動について説明する。
【００５０】
（１）イグニッションスイッチ１２がＯＮされた場合。
【００５１】
図１０に示すように、先ず、発光ダイオード３２が点灯し、時間ｔが経過した後、発光ダイオード３２が消灯すると同時に発光ダイオード４２が点灯する。発光ダイオード４２が点灯して時間ｔが経過すると発光ダイオード４２が消灯する。さらに時間ｔが経過すると、今度は発光ダイオード３２、４２全てが一斉に点灯する。
【００５２】
（２）イグニッションスイッチ１２がＯＦＦされた場合。
【００５３】
図１１に示すように、先ず、発光ダイオード４２が消灯し、時間ｔが経過した後再び点灯する。それと同時に発光ダイオード３２が消灯する。さらに時間ｔが経過すると、再び発光ダイオード３２が点灯し、両発光ダイオード３２、４２が点灯状態となる。さらに時間ｔが経過すると、今度は発光ダイオード３２、４２全てが一斉に消灯する。
【００５４】
上述の変形例の時差点灯制御方法、時差消灯制御方法によっても、本発明の一実施形態のコンビネーションメータ１の場合と同様に見映えのある斬新な視認性を実現することができる。なお、本発明の一実施形態およびその変形例では、時差点灯制御、時差消灯制御中において時間ｔは一定値としているが、これを変化させてもよい。つまり、時差点灯制御、時差消灯制御において時間ｔの大きさを変化させてもよい。
【００５５】
また、以上説明した実施例は、本発明の一実施形態による表示装置を自動車のコンビネーションメータ１に適用した場合を例に示しているが、自動車のコンビネーションメータ１以外の表示装置に適用してもよい。
【図面の簡単な説明】
【図１】本発明の一実施形態によるコンビネーションメータ１の部分平面図である。
【図２】本発明の一実施形態によるコンビネーションメータ１の断面図であり、図１のＩＩ−ＩＩ線断面図である。
【図３】導光ユニット３、４の平面図である。
【図４】本発明の一実施形態によるコンビネーションメータ１の電気回路構成を説明する模式図である。
【図５】（ａ）、（ｂ）は、それぞれ発光ダイオード３１、４１への印加電圧Ｅと時間Ｔの関係を示すタイムチャートであり、イグニッションスイッチ１２ＯＮ時を示す。
【図６】（ａ）、（ｂ）は、それぞれ発光ダイオード３１、４１への印加電圧Ｅと時間Ｔの関係を示すタイムチャートであり、イグニッションスイッチ１２ＯＦＦ時を示す。
【図７】（ａ）〜（ｄ）は、本発明の一実施形態によるコンビネーションメータ１における導光体３１、４１の変形例の断面図である。
【図８】導光ユニット３、４の平面図である。
【図９】図８中のＩＸ−ＩＸ線断面図である。
【図１０】（ａ）、（ｂ）は、それぞれ発光ダイオード３１、４１への印加電圧Ｅと時間Ｔの関係の変形例を示すタイムチャートであり、イグニッションスイッチ１２ＯＮ時を示す。
【図１１】（ａ）、（ｂ）は、それぞれ発光ダイオード３１、４１への印加電圧Ｅと時間Ｔの関係の変形例を示すタイムチャートであり、イグニッションスイッチ１２ＯＦＦ時を示す。
【符号の説明】
１    コンビネーションメータ（表示装置）
２    文字盤
２１    目盛
２２    数字
２３    貫通孔
３    導光ユニット
３１    導光体
３１ａ    入射面
３１ｂ    シボ面
３２    発光ダイオード（光源）
４    導光ユニット
４１    導光体
４１ａ    入射面
４１ｂ    シボ面
４２    発光ダイオード（光源）
５    プリント基板
６    ムーブメント（回動内機）
６１    シャフト（指針軸）
７    指針
８    ケーシング
９    見返し板
１０    透明カバー
１１    制御装置
１２    イグニッションスイッチ
１３    バッテリ
Ａ    連結部
Ｅ    印加電圧
Ｔ    時間
ｔ    時間
【図１】
2004184221.tif 000003
【図２】
2004184221.tif 000004
【図３】
2004184221.tif 000005
【図４】
2004184221.tif 000006
【図５】
2004184221.tif 000007
【図６】
2004184221.tif 000008
【図７】
2004184221.tif 000009
【図８】
2004184221.tif 000010
【図９】
2004184221.tif 000011
【図１０】
2004184221.tif 000012
【図１１】
2004184221.tif 000013